(57)【要約】【要  約】【課  題】  何らかの原因により、窓が窓枠から外れた場合に、そこに形成される開口から客が地上に落下してしまうことを防止することが可能な索道装置における客用箱型搬器を提供する。【解決手段】  客用箱型搬器の箱体に取り付けられた窓のうち、窓が窓枠から外れた際に形成される開口から客が地上に落下する広さを有する窓それぞれについて、窓が窓枠から外れた際に形成される開口を覆う客落下防止体が箱体の外側に取り付けられている。【選択図】        図１
2005199963.tif 000002
【特許請求の範囲】
【請求項１】
支柱間に懸架されたロープにより牽引されて、空中を移動しつつ、客を搬送するための索道装置における客用箱型搬器であって、該客用箱型搬器の箱体に取り付けられた窓のうち、窓が窓枠から外れた際にそこに形成される開口から客が地上に落下する広さを有する窓それぞれについて、該窓が窓枠から外れた際に形成される開口を覆う客落下防止体が前記箱体の外側に取り付けられていることを特徴とする索道装置における客用箱型搬器。
【請求項２】
支柱間に懸架されたロープにより牽引されて、空中を移動しつつ、客を搬送するための索道装置における客用箱型搬器であって、該客用箱型搬器の箱体に取り付けられた窓のうち、窓が窓枠から外れた際にそこに形成される開口から客が地上に落下する広さを有する窓それぞれについて、該窓が窓枠から外れた際に形成される開口を覆う客落下防止体が前記箱体の内側に取り付けられていることを特徴とする索道装置における客用箱型搬器。
【発明の詳細な説明】
【技術分野】
【０００１】
何らかの原因により窓が窓枠から外れた場合に、そこに形成される開口から客が地上に落下してしまうことを防止することが可能な索道装置における客用箱型搬器に関する。
【背景技術】
【０００２】
索道装置であるロープウエイやゴンドラリフトなどは、客用箱型搬器に客を乗せて、支柱間に懸架されたロープにより搬器を牽引し、空中を移動しつつ、客を搬送するための装置である。空中を移動しつつ、客を搬送するための搬器には、乗っている客が外の景色を観るために、大きな観覧窓が窓枠を介して取り付けられているのが一般的である。
【０００３】
搬器の大きな観覧窓は、普通の使用状態では、窓枠を介して搬器の箱体に取り付けられているので、客が寄りかかった程度の力では、外れてしまうことはない。だが、何らかの原因、例えば、搬器が暴走し、支柱に衝突した際に窓が窓枠から外れた場合などにおいては、そこに形成される開口から客が地上に落下して、死傷事故に繋がることも考えられる。そこで、空中を移動しつつ、客を搬送するための索道装置においては、搬器に乗っている客を安全に搬送するために、各種安全装置が備えられている。
【０００４】
例えば、索道の暴走による人身事故防止装置を備えた索道装置が知られている（特許文献１）。
【特許文献１】特開昭５６−１４９２５５号公報
【発明の開示】
【発明が解決しようとする課題】
【０００５】
しかしながら、特許文献１に記載の人身事故防止装置を備えた索道装置は、搬送物を搬送する搬器が暴走した時、張設した安全ネットおよびワイヤロープにより搬器の衝撃を緩衝するように構成した装置であり、搬器が索道の基地にまで高速降下し、そこで作業している作業員を死傷させることを防止することを目的としている。
【０００６】
このため、このような暴走した搬器を張設した安全ネットに衝突させる装置を備えた索道装置をゴンドラリフトに適用した場合、客が外の景色を観るために設けられた大きな観覧窓が衝撃により窓枠から外れ、そこに形成される開口から搬器に乗っている客が地上に落下してしまう恐れがある。
【０００７】
本発明は、係る問題を解消し、何らかの原因により窓が窓枠から外れた場合に、そこに形成される開口から客が地上に落下してしまうことを防止することが可能な索道装置における客用箱型搬器を提供することを目的とする。
【課題を解決するための手段】
【０００８】
本発明は、支柱間に懸架されたロープにより牽引されて、空中を移動しつつ、客を搬送するための索道装置における客用箱型搬器であって、該客用箱型搬器の箱体に取り付けられた窓のうち、窓が窓枠から外れた際にそこに形成される開口から客が地上に落下する広さを有する窓それぞれについて、該窓が窓枠から外れた際に形成される開口を覆う客落下防止体が前記箱体の外側に取り付けられていることを特徴とする索道装置における客用箱型搬器である。
【０００９】
また、本発明は、支柱間に懸架されたロープにより牽引されて、空中を移動しつつ、客を搬送するための索道装置における客用箱型搬器であって、該客用箱型搬器の箱体に取り付けられた窓のうち、窓が窓枠から外れた際に形成される開口から客が地上に落下する広さを有する窓それぞれについて、該窓が窓枠から外れた際に形成される開口を覆う客落下防止体が前記箱体の内側に取り付けられていることを特徴とする索道装置における客用箱型搬器である。
【発明の効果】
【００１０】
本発明によれば、何らかの原因により窓が窓枠から外れた場合に、そこに形成される開口から客が地上に落下してしまうことを防止することができる。
【発明を実施するための最良の形態】
【００１１】
本発明をゴンドラリフトの搬器１に適用した場合について、図１、２を用いて説明する。本発明を適用した実施の形態に係るゴンドラリフトは、図１に示す客用箱型搬器としての搬器１に客を乗せて、図２に示すように、支柱１０間に懸架されたロープ８により搬器１を牽引し、空中を移動しつつ、客を搬送することができるように構成されている。搬器１は、図１に示すように、箱体２と、箱体２を吊り下げる吊り下げ具６と、吊り下げ具６に連結された握索装置７を備え、客を乗せて、空中を移動するものである。
【００１２】
この搬器１の箱体２には、図１（ａ）に示される前面窓３Ａと、左サイド窓３Ｃ、図１（ａ）には図示されていない後面窓３Ｂと、図１（ｂ）に示される、進行方向右側の右サイド窓９Ａ、９Ｂが設けられている。左サイド窓３Ｃは、前面窓３Ａ、後面窓３Ｂと同程度の広さを有する。
【００１３】
以下の説明では、前面窓３Ａ、後面窓３Ｂおよび左サイド窓３Ｃを観覧窓とも称す。観覧窓は、窓が窓枠４から外れた際に、その形成される開口から搬器１に乗っている客が地上に落下する広さを有する窓である。観覧窓である前面窓３Ａ、後面窓３Ｂおよび左サイド窓３Ｃは、窓枠４を介して構造部材である箱体２に取り付けられている。図１（ａ）、図１（ｂ）中、符号４は、窓枠を示す。
【００１４】
なお、進行方向右側の右サイド窓９Ａは、開閉扉９の中央を境とし、進行方向側の扉の上下と、進行方向と反対側の扉の上下に取り付けられている。また、進行方向右側の右サイド窓９Ｂは、窓枠４を介して箱体２に取り付けられている。
【００１５】
上述した窓は、例えば、一体成形により形成された透明なアクリル樹脂製とされる。また、搬器１の箱体２は、軽量化を図った構造体とするため、アルミニウム合金製の板材や形材を成形し、これらを組み合わせて構成することができる。
【００１６】
この本発明を適用した実施の形態に係るゴンドラリフトの搬器１においては、観覧窓が窓枠４から外れた際にそこに形成される開口をそれぞれ覆う客落下防止体５が箱体２の外側に取り付けられている。この実施の形態に係るゴンドラリフトの搬器１においては、客落下防止体５を箱体２に取り付けられた縦部材５Ａと横部材５Ｂとで格子状に形成している。縦部材５Ａと横部材５Ｂは、適宜な材料を用いることができる。例えば、適宜な強度と断面寸法を有する棒鋼やアルミニウム合金製パイプ材、樹脂材などとすることができる。
【００１７】
客落下防止体５の箱体２への取り付け方法は、客落下防止体５と箱体２の材質により適宜な方法を採用することができる。例えば、搬器１の箱体２がアルミニウム合金とされ、縦部材５Ａと横部材５Ｂの材料を棒鋼、アルミニウム合金製パイプ材、または樹脂材などとした場合には、接合もしくは適宜なねじを用いたねじ結合によって行うことができる。その際、客落下防止体５は、観覧窓が窓枠４から外れた場合にそこに形成される開口を客が通過することができないように覆うだけではなく、客が外の景色を十分に観ることができるように構成することが好ましい。また、客が客落下防止体５に衝突した場合でもその衝撃力に耐えることができるように箱体２の外側に取り付けるのが好ましい。
【００１８】
また、客落下防止体５に客が衝突した場合でもその衝撃力に耐えることが可能な客落下防止体５とするには、上述した縦部材５Ａと横部材５Ｂを、適宜な強度と断面寸法を有する材料とすると共に箱体２に取り付ける本数を適切にすることで達成できる。
【００１９】
このような観覧窓の開口を覆う客落下防止体５が箱体２の外側に取り付けられている搬器１の作用は、次のとおりである。
【００２０】
図２に示すようなゴンドラリフトの搬器１の使用状態において、何らかの原因により支柱構造物に衝突した際に観覧窓のうち、いずれか一つの窓が窓枠４から外れた場合でも、客落下防止体５が箱体２の外側に取り付けられており、また、いずれか一つの観覧窓が窓枠４から外れ、窓が客落下防止体５に支えられた状態となり、この状態の窓に客が衝突したとしても、客落下防止体５がその際の衝撃力に耐えることができるように構成されているから、観覧窓の開口を覆う客落下防止体５により、客が地上１１に落下してしまうことを防止することができる。
【００２１】
またたとえ、いずれか一つの観覧窓が窓枠４から外れ、箱体２の内側に倒れたとしても、そこに形成される観覧窓の開口を覆う客落下防止体５が、箱体２の外側に取り付けられているために、観覧窓が窓枠４から外れそこに形成される観覧窓の開口から客が地上１１に落下してしまうことを防止することができる。
【００２２】
以上の説明においては、観覧窓が窓枠４から外れた際に形成される開口を覆う客落下防止体５が箱体２の外側に取り付けられている搬器１としているが、同様な客落下防止体が箱体２の内側に取り付けられている搬器とすることもできる。
【００２３】
このような観覧窓が窓枠４から外れた際に形成される開口を覆う客落下防止体が箱体２の内側に取り付けられている搬器では、何らかの原因により、いずれか一つの観覧窓が地上１１に落下する場合が発生した場合でも、客落下防止体５が観覧窓が窓枠４から外れた際に形成される開口を覆っており、また、たとえ、客が直接、客落下防止体５に衝突したとしても、その際の衝撃力に耐えることが可能に構成されているから、搬器１に乗っている客が地上１１に落下してしまうことを防止することができる。
【００２４】
また、上述した客落下防止体５は、箱体２に取り付けられた縦部材５Ａと横部材５Ｂとで格子状に形成したが、本発明に用いる客落下防止体５の形状および使用部材は、特に限定されず、繊維からなるネット、もしくは適宜な樹脂により一体成形して得た樹脂製の網状成形体を客落下防止体５とすることもできる。その場合、客落下防止体５として用いる繊維からなるネットもしくは網状成形体は、観覧窓が窓枠４から外れた際に形成される開口を客が通過することができないように覆うだけではなく、客が外の景色を十分に観ることができるように考慮すると共に、客が客落下防止体５に衝突した場合でもその際の衝撃力に耐えることが可能に構成するのが好ましい。なお、内側と外側に設けた防止体で上述したような作用・効果を有する客落下防止体を構成することもできる。
【実施例】
【００２５】
６人乗りゴンドラリフトの搬器に本発明を適用した。その際、図１に示すような、縦部材５Ａと横部材５Ｂとで格子状に形成した客落下防止体５を、観覧窓が窓枠から外れた際に形成される開口を覆うように箱体２の外側に取り付けて、発明例の搬器とした。
【００２６】
なお、前面窓３Ａおよび後面窓３Ｂの寸法は、最大幅が１４００ｍｍ、高さが９００ｍｍであり、窓枠４内に縦部材５Ａを２８０ｍｍピッチで４本（最大幅の位置：２８０＋２８０＋２８０＋２８０＋２８０＝１４００ｍｍ）、横部材５Ｂを２２５ｍｍピッチで３本（２２５＋２２５＋２２５＋２２５＝９００ｍｍ）配置し、ボルト等により箱体２の外側に取り付けて固定した。また、同様に左サイド窓３Ｃに縦部材５Ａおよび横部材５Ｂを配置し、箱体２の外側に取り付けて固定した。
【００２７】
縦部材５Ａおよび横部材５Ｂとしては、材質が鉄の棒鋼を適宜な長さに切断した後、その端部を加工して使用した。このような発明例の搬器は、箱体２の窓のうち、窓が窓枠４から外れた際に形成される開口から客が地上１１に落下する広さを有する観覧窓それぞれについて、窓が窓枠４から外れた際に形成される開口を客が通過することができないように覆うと共に、客が衝突した場合の衝撃力に耐えることが可能なように構成されている客落下防止体５が箱体２の外側に取り付けられている。従って、この発明例の搬器は、支柱１０間に懸架されたロープ８により牽引されて、空中を移動しつつ、客を搬送するためのゴンドラリフトにおける客用箱型搬器として使用することができ、何らかの原因により窓が窓枠から外れた場合に、そこに形成される開口から客が地上に落下してしまうことを防止することができる。
【００２８】
なお、本発明は、上述したゴンドラリフトにおける客用箱型搬器に限定されず、例えば、ロープウエイの客用箱型搬器にも同様に適用することができる。
【図面の簡単な説明】
【００２９】
【図１】本発明を適用して好適なゴンドラリフトの搬器（客用箱型搬器）を示す（ａ）は正面図、（ｂ）は側面図である。
【図２】本発明を適用して好適な索道装置の一例を示す概略図である。
【符号の説明】
【００３０】
１  搬器（客用箱型搬器）
２  箱体
３Ａ  前面窓
３Ｂ  後面窓
３Ｃ  左サイド窓
４  窓枠
５  客落下防止体
５Ａ  縦部材
５Ｂ  横部材
６  吊り下げ具
７  握索装置
８  ロープ
９  開閉扉
９Ａ、９Ｂ  右サイド窓
１０  支柱
１１  地上
【図１】
2005199963.tif 000003
【図２】
2005199963.tif 000004